(57)【要約】【課題】    ＣＭ放送チャンネルの各時間枠の利用頻度の偏りを緩和することのできる放送信号受信装置を提供する。【解決手段】  通常番組放送を送信する通常番組放送チャンネルとＣＭ放送を送信する複数のＣＭ放送チャンネルのうちの一つとを切り換えて受信する選局装置１，３と、通常番組放送に対するＣＭ放送の延べ受信時間を規定する信号を受信し、該信号をもとにＣＭ放送の延べ受信時間を管理するＣＭ放送延べ受信時間管理部１２と、ＣＭ放送延べ受信時間管理部が管理する延べ受信時間を満足するように選局装置が選局するチャンネルを制御する制御部１１を備え、該制御部１１は、ＣＭ放送を受信するとき受信すべきＣＭチャンネルを前記複数のＣＭチャンネルの中からランダムに選択する。【選択図】  図１
2006050247.tif 000002
【特許請求の範囲】
【請求項１】
通常番組放送を送信する通常番組放送チャンネルとＣＭ放送を送信する複数のＣＭ放送チャンネルのうちの一つとを切り換えて受信する選局装置と、
通常番組放送に対するＣＭ放送の延べ受信時間を規定する信号を受信し、該信号をもとにＣＭ放送の延べ受信時間を管理するＣＭ放送延べ受信時間管理部と、
ＣＭ放送延べ受信時間管理部が管理する延べ受信時間を満足するように選局装置が選局するチャンネルを制御する制御部を備え、
該制御部は、ＣＭ放送を受信するとき受信すべきＣＭチャンネルを前記複数のＣＭチャンネルの中からランダムに選択することを特徴とする放送信号受信装置。
【請求項２】
通常番組放送、複数のＣＭチャンネルを含むＣＭ放送、および通常番組放送に対するＣＭ放送の延べ受信時間を規定する信号を受信し、
前記規定が満足されるまでは、番組放送を送信する番組チャンネルからＣＭ放送を送信するＣＭチャンネルに切り換える選局信号を受信したとき選局すべきＣＭチャンネルを前記複数のＣＭチャンネルの中からランダムに選択することを特徴とする放送信号受信方法。
【発明の詳細な説明】
【技術分野】
【０００１】
本発明は、放送信号受信装置等にかかり、特にＣＭ放送チャンネルの放送枠の利用頻度の偏りを緩和することのできる放送信号受信装置に関する。
【背景技術】
【０００２】
一般に、ＴＶ（テレビジョン）放送を行う放送局側では、番組放送の前後あるいは番組放送中にＣＭ（コマーシャル）放送と呼ばれる比較的短時間の番組放送を挿入して通常番組放送として放送し、受信装置側では、放送局側から送出される通常番組放送信号（番組放送信号、ＣＭ放送信号）を送出される順序で受信して表示している。
【０００３】
また、特許文献１には、放送局側では、番組放送用の複数のチャンネル（番組チャンネル）、およびＣＭ放送用の複数のチャンネル（ＣＭ放送チャンネル）とを放送し、受信装置側では、予めＣＭ受信パターン設定部に設定しておいたＣＭ放送の受信タイミングおよび表示時間にしたがって番組放送およびＣＭ放送を受信し、モニタ装置に番組放送およびＣＭ放送を交互に表示することが示されている。
【特許文献１】特開平１１−１１２８９６号公報
【発明の開示】
【発明が解決しようとする課題】
【０００４】
前述のように、一般のＴＶ放送では、放送局側から送出する放送信号（番組放送信号、ＣＭ放送信号）をその送出順序に受信して表示する。このため、ＣＭ放送を受信して表示する時間（ＣＭ放送枠）は、ユーザの要望とは無関係に予め決定されている。
【０００５】
また、特許文献１に示される装置では、放送局側で番組放送用の複数のチャンネル（通常番組放送チャンネル）およびＣＭ放送用の複数のチャンネル（ＣＭ放送チャンネル）を放送し、受信装置側では、予めＣＭ受信パターン設定部に設定したＣＭ放送の受信タイミングにしたがって番組放送およびＣＭ放送を受信する。また、受信装置側でＣＭ放送を受信して表示する時間（ＣＭ放送枠）は、ＣＭ受信パターン設定部に設定した受信タイミングを変えることにより変更することは可能である。
【０００６】
しかし、通常の番組は午後７時あるいは午後８時開始というように番組開始の時刻が集中する場合が多い、さらに番組の前部分よりは後半部分に興味を引く場面が多い。このような傾向を考慮すると、ＣＭ放送枠の受信パターンとして、番組の前半にＣＭ放送枠の受信要求が集中ことが考えられる。従って、ＣＭ放送チャンネル数が少ない場合その放送枠の利用頻度は時間毎に大幅に相違することになる。
【０００７】
本発明はこれらの問題点に鑑みてなされたもので、ＣＭ放送チャンネルの各時間枠の利用頻度の偏りを緩和することのできる放送信号受信装置を提供するものである。
【課題を解決するための手段】
【０００８】
本発明は上記課題を解決するため、次のような手段を採用した。
【０００９】
通常番組放送を送信する通常番組放送チャンネルとＣＭ放送を送信する複数のＣＭ放送チャンネルのうちの一つとを切り換えて受信する選局装置と、通常番組放送に対するＣＭ放送の延べ受信時間を規定する信号を受信し、該信号をもとにＣＭ放送の延べ受信時間を管理するＣＭ放送延べ受信時間管理部と、ＣＭ放送延べ受信時間管理部が管理する延べ受信時間を満足するように選局装置が選局するチャンネルを制御する制御部を備え、
該制御部は、ＣＭ放送を受信するとき受信すべきＣＭチャンネルを前記複数のＣＭチャンネルの中からランダムに選択する。
【発明の効果】
【００１０】
本発明は、以上の構成を備えるため、ＣＭ放送チャンネル放送枠の利用頻度の偏りを緩和することのできる放送信号受信装置を提供することができる。
【発明を実施するための最良の形態】
【００１１】
以下、最良の実施形態を添付図面を参照しながら説明する。図１は、本発明の実施形態にかかる放送信号受信装置を説明する図である。図において、１００はデジタル放送信号の受信装置であり、例えばＣＡＴＶ放送局２０からの放送信号を受信するセットトップボックス（ＳＴＢ）等からなる。１は受信装置の受信部であり、指定された周波数の放送信号を選局してトランスポートストリーム（ＴＳ）を抽出する。２は復調部であり、変調された放送信号を復調し、復調信号の誤り訂正処理等を行う。３はデマルチプレクサであり、送信側の多重化装置により多重化された前記トランスポートストリームから必要なストリームを取り出す。４はＭＰＥＧデコーダであり、ＭＰＥＧ規格により符号化された信号（ビデオ信号、オーディオ信号）を復号化する。５はグラフィックコントローラ、６はビデオ信号出力部、１３はオーディオ信号出力部、７はビデオ信号およびオーディオ信号を再生するモニタである。
【００１２】
８はＳＩ（番組配列）情報解析部であり、ＣＭ放送チャンネルあるいは番組放送チャンネルの選択、ＥＰＧ等の番組情報を表示する際等に使用する番組配列情報を放送信号内から抽出し、抽出した信号を解析する。１１は選局ボタン１１ａ、ＣＭ選択ボタン１１ｂ、ＣＭスキップボタン１１ｃを供える制御部であり、バス１４を介して放送信号の受信を制御する。１２はＣＭ放送の延べ受信時間を管理するＣＭ放送受信時間管理部であり、通常番組放送（あるいは通常番組放送枠）に対するＣＭ放送の延べ受信時間（あるいは受信枠数）を規定する信号を記憶する規定値記憶部１２ａ、実際に受信したＣＭ放送の延べ受信時間（あるいは受信枠数）を記憶する実際値記憶部１２ｂを備える。
【００１３】
通常番組放送（あるいは通常番組放送枠）に対するＣＭ放送の延べ受信時間（あるいは受信枠数）を規定する信号（記憶部１２ａの記憶値）は放送局側から受信して、該信号が規定するＣＭ放送延べ受信時間（あるいは受信枠数）を、実際に受信したＣＭ放送の延べ受信時間（あるいは受信枠数）を表す信号（記憶部１２ｂの記憶値）が満足するように、制御部が選局するチャンネルの通常番組放送チャンネルからＣＭ放送チャンネルへの切り換え、およびＣＭ放送チャンネルから通常番組放送チャンネルへの切り換えを管理する。
【００１４】
なお、ＣＭ放送の延べ受信時間としてＣＭ放送枠の数を各番組放送毎に設定することができる。また、通常番組放送（通常番組放送枠）に対するＣＭ放送の延べ受信時間（ＣＭ放送枠）を規定する信号は各番組毎に予め規定しておくのが望ましい。なお、図１の例では、指定された周波数の放送信号を選局してトランスポートストリーム（ＴＳ）を抽出する受信部１および抽出したトランスポートストリームから必要なストリームを取り出すデマルチプレクサ３を制御部１１により制御することにより選局が行われることになる。
【００１５】
図２は、本発明の受信装置が受信の対象とする放送信号の構成を説明する図である。図２（ａ）は各チャンネルを周波数軸上に多重化した例を説明する図であり、図に示すように放送信号は、ＣＭ放送を常時放送するＣＭ放送チャンネル２１ａ，２１ｂ、通常番組（ＣＭ放送枠を含む）を放送する通常番組放送チャンネル２２ａを備える。
【００１６】
図２（ｂ）は各チャンネルを時間軸上にデジタル信号として多重化した例を説明する図であり、図に示すように放送信号は、ＣＭ放送を常時放送するＣＭ放送チャンネル２１ａ、２１ｂ、通常番組（ＣＭ放送枠を含む）を放送する通常番組放送チャンネル２２ａ、および２２ｂを備える。
【００１７】
なお、通常番組放送チャンネルのチャンネル数は１チャンネル、あるいは２チャンネルに限ることはなく複数または単数であって良い。また、通常番組放送チャンネル２２ａ、２２ｂ・・・はそれぞれ異なる番組内容を放送するチャンネル、あるいは同一の番組内容を所定時間ずつ遅延して放送するチャンネルとすることができる。
【００１８】
図３は、制御部１１およびＣＭ放送受信時間管理部１２による選局動作の例を説明する図である。図３において、ＣＭ１およびＣＭ２は、ＣＭを放送するＣＭ放送チャンネルＣＭ１およびＣＭ２の放送内容を示す。図に示すようにＣＭ放送チャンネルＣＭ１，ＣＭ２は、それぞれＣＭ放送枠ｘ，ｙ，ｚ，ｓ・・・、およびｚ，ｘ，ｙ，ｓ・・・を有する。
【００１９】
また、ＴＶ１は、通常番組を放送するチャンネルＴＶ１の放送内容を示す。図に示すように通常番組放送チャンネルＴＶ１は、通常番組放送枠ａ，ｃ，ｄ，ｅ，ｆ，ｇ，ｈ，ｉ，ｊ，ｋ，ｍおよび予めデフォルトとして挿入されたＣＭ放送枠ｂ，ｋを有する。また、ＴＶ２は、通常番組放送チャンネルＴＶ１よりもＣＭ放送枠に相当する時間だけ遅延して放送するチャンネルＴＶ２の放送内容を示す（ＴＶ２の放送内容はＴＶ１と同一内容である）。同様にＴＶ３はＣＭ放送枠に相当する時間だけＴＶ２よりも遅延して放送されている。
【００２０】
なお、ＣＭ放送チャンネル、現在受信中の通常番組放送チャンネルＴＶ２よりもＣＭ放送枠に相当する時間だけ遅延して放送するチャンネルＴＶ３、あるいはＣＭ放送枠に相当する時間だけ先行して放送するチャンネルＴＶ１を特定する情報はＳＩ情報解析部８から得ることができる。
【００２１】
次に、図１，３を参照して、制御部１１およびＣＭ放送受信時間管理部１２による選局動作を説明する。まず、視聴者は受信を開始し、例えばＳＩ情報解析部が解析してモニタ７に表示した番組表等を参照して、制御部１１の選局ボタン１１ａを操作して所望の放送チャンネルを選択する。視聴者の選択入力を受けた制御部１１は、受信部１を制御して指定された周波数の放送信号を選局してトランスポートストリーム（ＴＳ）を抽出し、更にデマルチプレクサ３を制御してトランスポートストリームから必要なストリームを取り出し、取り出したストリームをＭＰＥＧデコーダ４に伝送する。ＭＰＥＧデコーダ４は、ＭＰＥＧ規格により符号化された信号（ビデオ信号、オーディオ信号）を復号化し、復号化した信号をビデオ信号出力部６およびオーディオ信号出力部１３を介してモニタ７に供給する。これにより視聴者は選択したチャンネル（例えば通常番組放送チャンネルＴＶ２）の番組を鑑賞することができる。また、ＣＭ放送受信時間管理部１２は選局と同時にＣＭ放送の延べ受信時間の積算を開始する。ただしＣＭ放送枠の途中から受信が開始されたときは次のＣＭ放送の受信が開始されるまで積算を開始しないように設定しておくのが好ましい。
【００２２】
次に、視聴者が制御部１１のＣＭ選択ボタン１１ｂを操作してＣＭ放送チャンネルを選択（ＣＭ選択操作）したか否かを判定する。視聴者が何も操作しないときは、デフォルトとして挿入したＣＭ放送枠ｂ，ｋを含む放送枠ａないしｍをこの順序で受信することになる。
【００２３】
視聴者は番組放送の視聴に関して様々な嗜好を有し、例えば番組放送の前半部にまとめてＣＭ放送を受信し、後半部ではＣＭ放送枠のない番組の視聴を望む場合、あるいは逆に、前半部ではＣＭ放送枠のない番組を鑑賞し、後半部にまとめてＣＭ放送枠を設定することを望む場合が存在する。ここでは、まず、視聴者が前半部にＣＭ放送枠をまとめ、後半部ではＣＭ放送枠のない番組の視聴を望む場合の選局動作について説明する。なお、ＣＭ放送受信時間管理部１２の記憶部１２ａにはＣＭ放送の延べ受信時間としてＣＭ放送枠の数（図の例では２）が設定されているとする。
【００２４】
この場合、例えば、視聴者はＣＭ放送枠を前半に集中させるための処理として、番組前半部におけるＣＭ放送枠の連続受信を設定し、この設定情報をＣＭ放送受信時間管理部１２に入力しておく。視聴者が、前述のように所望のチャンネルを選択して、例えば通常番組放送チャンネルＴＶ２の番組を鑑賞している場合、時間ｔ１５の時点でデフォルトとして挿入された第１回目ＣＭ放送（放送枠ｂ）の受信が開始され、時間ｔ２０の時点でこのＣＭ放送の受信が終了する。
【００２５】
ＣＭ放送受信時間管理部１２は、受信したＣＭ放送枠の数を管理し、この数がＣＭ放送の延べ受信時間として規定されたＣＭ放送枠の数（＝２）に達しない場合で、且つＣＭ放送枠の連続受信が設定されている場合、前記制御部１１を介して受信チャンネルをＣＭ放送チャンネル（例えばＣＭ１）に切り換える。この状態でＣＭ放送（ＣＭ１の放送枠ｎ）の受信が継続される。
【００２６】
このとき、切り換え先のＣＭ放送チャンネルとしてどのＣＭ放送チャンネル、この場合にはＣＭ１またはＣＭ２のいずれを選択すべきかは、前記複数のＣＭ放送チャンネルの中からランダムに選択する。これによりＣＭ放送チャンネルＣＭ１，ＣＭ２の各放送枠の利用頻度が特定のＣＭ放送枠に偏ることはことを防止することができる。
【００２７】
ＣＭ放送（ＣＭ放送枠ｎ）の受信を継続し、受信枠の１つの受信が完了するとＣＭ放送受信時間管理部１２は、もとの通常番組放送チャンネル（ＴＶ２）の放送番組と同一番組を遅延した時間で放送している他の通常番組放送チャンネル（ＴＶ３）に切り換える。これにより、視聴者は通常番組放送チャンネル（ＴＶ２）の番組放送枠ａ、ＣＭ放送枠ｂ、ＣＭ放送チャンネル（ＣＭ）のＣＭ放送枠ｎ、および通常番組放送チャンネル（ＴＶ３）の番組放送枠ｃを連続して鑑賞することができる。すなわち、ＣＭ放送枠が番組の前半に集中した番組を鑑賞することができる。なお、受信したＣＭ放送枠の数がＣＭ放送の延べ受信時間としてのＣＭ放送枠の数に達した後、すなわち記憶部１２ａの記憶値と記憶部１２ｂの記憶値が一致した後は、ＣＭ放送チャンネルへの切換を禁止し、あるいはデフォルトのＣＭ放送枠をスキップするのが望ましい。これにより、視聴者が誤って規定された以上の不要なＣＭ放送を受信することを防止することができる。
【００２８】
例えば、通常番組放送チャンネル（ＴＶ３）を受信している場合、番組の後半における番組放送枠ｊに続いてＣＭ放送枠ｋが出現する。しかしこの場合は、ＣＭ放送の延べ受信時間として設定されたＣＭ放送枠の数（図の例では２）の受信が終了している。このためＣＭ放送受信時間管理部１２は、通常番組放送チャンネル（ＴＶ３）の放送番組と同一番組を先行した時間で放送している他の通常番組放送チャンネル（ＴＶ２）に切り換える。これにより、通常番組放送チャンネル（ＴＶ３）ＣＭ放送枠ｋの受信をスキップ（回避）することができる。これらの操作によりＣＭ放送枠は番組の前半部に移動されたことになる。
【００２９】
以上の例では、ＣＭ放送枠の受信終了に続いてＣＭ放送チャンネル（ＣＭ１）のＣＭ放送枠ｎに自動的に移行する例について説明したが、視聴者は、任意の時点、例えばｔ２５の時点でＣＭ選択ボタン１１ｂを操作して、受信チャンネルを通常番組放送チャンネル（ＴＶ２）からＣＭ放送チャンネル（放送枠ｐ）に切り換える操作を行い、所定時間後にもとの通常番組放送と同一番組を遅延した時間で放送している他の通常番組放送チャンネル（ＴＶ３）に切り換えるようにしてもよい。
【００３０】
一方、視聴者が番組の後半部にＣＭ放送枠をまとめ、前半部ではＣＭ放送枠のない番組の視聴を望む場合においては、視聴者はＣＭ放送枠を後半に集中させるための処理として、番組後半部におけるＣＭ放送枠の連続受信を設定し、この設定情報をＣＭ放送受信時間管理部１２に入力しておく。視聴者は通常番組放送チャンネルＴＶ２の番組を鑑賞している場合、時間ｔ１５の時点で第１回目ＣＭ放送（放送枠ｂ）の受信が開始される。このとき視聴者は制御部１１のＣＭスキップボタン１１ｃを操作して、通常番組放送チャンネルＴＶ２と同一番組を先行した時間で放送している他の通常番組放送チャンネル（ＴＶ１）に切り換える（ＣＭスキップ操作）。これにより、通常番組放送チャンネル（ＴＶ２）ＣＭ放送枠ｂの受信を回避することができる。すなわち、ＣＭ放送枠ｂは番組の後半に移動させることができる。
【００３１】
この状態で通常番組放送チャンネル（ＴＶ１）を受信している場合、番組の後半における番組放送枠ｊに続いてＣＭ放送枠ｋが出現する。ＣＭ放送受信時間管理部１２は、受信したＣＭ放送枠の数を管理し、この数がＣＭ放送の延べ受信時間として規定されたＣＭ放送枠の数（＝２）に達しない場合で、且つＣＭ放送枠の連続受信が設定されている場合、ＣＭ放送枠ｋの受信終了後、前記制御部１１を介して受信チャンネルをＣＭ放送チャンネル（ＣＭ）に切り換える。この状態でＣＭ放送（ＣＭ放送枠ｐ）の受信が継続されるこれにより、視聴者は通常番組放送チャンネル（ＴＶ２）の番組放送枠ａ、通常番組放送チャンネル（ＴＶ１）の番組放送枠ｃ、ｄ、・・・ｋ、ＣＭ放送チャンネルの放送枠ｐ、通常番組放送チャンネル（ＴＶ２）の番組放送枠ｍを連続して鑑賞することができる。すなわち、ＣＭ放送枠が番組の後半に集中した番組を鑑賞することができる。
【００３２】
以上の説明では、通常番組放送チャンネルＴＶ１および通常番組放送チャンネルＴＶ１よりもＣＭ放送枠に相当する時間だけそれぞれ遅延して放送するチャンネルＴＶ２、ＴＶ３が存在することを前提に説明した。しかし、このように遅延した放送される信号が得られない場合は、記録再生装置を設け、該装置により先行する信号を記録し、前記遅延時間に相当する時間後に再生することにより遅延して放送される信号に相当する信号を得ることができる。この場合は遅延時間を任意に設定することが可能であり、ＣＭ放送枠の時間幅の大小に係わらず柔軟に対応することができる。
【００３３】
以上説明したように本実施形態によれば、ＣＭ放送枠を移動することができる。このため視聴者の嗜好に合致した番組編成を実現することができる。また、通常番組放送チャンネルからＣＭ放送チャンネルに切り換える際、切り換え先のＣＭ放送チャンネル番号をランダムに選択する。これにより、ＣＭ放送の受信要求が特定のＣＭ放送チャンネルの特定ＣＭ放送枠に集中することを防止することができる。従って、ＣＭ放送チャンネルの放送枠の利用頻度の偏りを緩和することができ、ＣＭ放送枠の編成作業を簡易化することができる。また、各放送受信装置は、例えば乱数を発生させてこの乱数に基づいて複数のＣＭ放送チャンネルを選択するのみで前記偏りを緩和することができるため、放送局との間の通信線路が片方向通信路の場合にも本発明は適用することができる。
【図面の簡単な説明】
【００３４】
【図１】本発明の実施形態にかかる放送信号受信装置を説明する図である。
【図２】本発明の受信装置が受信の対象とする放送信号の構成を説明する図である。
【図３】制御部１１による選局動作の例を説明する図である。
【符号の説明】
【００３５】
１  受信部
２  復調部
３  デマルチプレクサ
４  ＭＰＥＧデコーダ
５  グラフィックコントローラ
６  ビデオ信号出力部
７  モニタ
８  ＳＩ情報解析部
９  上り信号送信部
１０  変調部
１１  制御部
１２  ＣＭ放送受信時間管理部
１３  オーディオ信号出力部
２０  ＣＡＴＶ放送局
１００ａ，１００ｂ・・・１００ｎ  セットトップボックス  
【図１】
2006050247.tif 000003
【図２】
2006050247.tif 000004
【図３】
2006050247.tif 000005